(57)【要約】【課題】壁の表面側から見たときに開口部付近にスッキリとした印象を与えることができる収納付き壁および収納付き壁の施工方法を提供する。【解決手段】壁本体２に形成された開口部３に矩形枠４が嵌め込まれており、壁本体２の表面に取り付けられた面材１０が、前記矩形枠４を構成する枠材７の枠材本体８の側端面８ｃにこれを覆うように当接し、かつ、枠材７のフランジ部９に当接しているので、この面材１０によって枠材本体８の側端面８ｃは露出せず、フランジ部９の先端部のみしか露出しないので、壁の表面側から見たときに開口部付近にスッキリとした印象を与えることができる。【選択図】図１
2010222908.tif 000002
【特許請求の範囲】
【請求項１】
壁本体に形成された開口部に、内部が収納部とされる矩形枠を嵌め込んでなる収納付き壁において、
前記矩形枠を構成する枠材は、横断面矩形状の枠材本体と、この枠材本体の側端面から前記壁本体の表面より外側に、前記矩形枠の内周面を構成する前記枠材本体の側面とほぼ面一となるように延出するとともに前記枠材本体の長手方向に延在するフランジ部とを備え、
前記壁本体の表面に面材が、前記枠材本体の側端面にこれを覆うように当接し、かつ、前記フランジ部に当接するようにして、取り付けられていることを特徴とする収納付き壁。 
【請求項２】
請求項１に記載の収納付き壁において、
前記壁本体に形成された開口部の上方が開放されており、この開口部に嵌め込まれた前記矩形枠を構成する上の枠材が前記壁本体の上方に位置する天井に当接しており、
前記フランジ部と天井との間に、上挿入材が挿入されていることを特徴とする特徴とする収納付き壁。 
【請求項３】
請求項１または２に記載の収納付き壁において、
前記壁本体に形成された開口部の下方が開放されており、この開口部に嵌め込まれた前記矩形枠を構成する下の枠材が前記壁本体の下方に位置する床に当接しており、
前記フランジ部と床との間に、下挿入材が挿入されていることを特徴とする特徴とする収納付き壁。 
【請求項４】
請求項１〜３のいずれか一項に記載の収納付き壁において、前記矩形枠内には、透光性を有しかつ前記壁本体の裏面側に露出する透光性面材が設けられていることを特徴とする収納付き壁。 
【請求項５】
請求項１〜４のいずれか一項に記載の収納付き壁を施工する収納付き壁の施工方法であって、
前記枠材を矩形枠状に組み立てることによって前記矩形枠を作製しておき、
前記壁本体に形成された開口部に前記矩形枠を嵌め込むとともに、前記開口部の内周面に前記枠材本体を当接して接着し、
次に、前記壁本体の表面に面材を、前記枠材本体の側端面にこれを覆うように当接し、かつ、前記フランジ部に当接するようにして、取り付けることを特徴とする収納付き壁の施工方法。
【発明の詳細な説明】
【技術分野】
【０００１】
本発明は、収納スペースが設けられた収納付き壁および収納付き壁の施工方法に関する。
【背景技術】
【０００２】
壁面内部に収納スペースが設けられた収納付き壁の一例として特許文献１に記載のものが知られている。この収納付き壁は、矩形状に枠組みされた枠体の室内側となる片面に面材が開口部を形成して貼設され、かつこの枠体の他方の面全域に合板等からなる面材が貼設され、さらに開口部に固定枠材が嵌め込まれ、この固定枠材の内部に断面略コ字状の収納ボードがその開口部を壁の外側に向けて設けられたものである。
【先行技術文献】
【特許文献】
【０００３】
【特許文献１】実開平５−１４３２８号公報
【発明の概要】
【発明が解決しようとする課題】
【０００４】
ところで、上記のような従来の収納付き壁では、その開口部に固定枠材が嵌め込まれているので、この固定枠材の厚みが壁パネルの表面側から見えてしまう。固定枠材は収納スペースの外殻を形成するものであり、ある程度の厚さを必要とするので、この厚みの部分が必要以上に重厚な印象を与えてしまう。このため、開口部付近にスッキリとした印象を与えることができる技術の開発が望まれていた。
【０００５】
本発明は上記事情に鑑みてなされたもので、壁の表面側から見たときに開口部付近にスッキリとした印象を与えることができる収納付き壁および収納付き壁の施工方法を提供することを課題としている。
【課題を解決するための手段】
【０００６】
上記課題を解決するために、請求項１に記載の発明は、例えば図１〜図４に示すように、壁本体２に形成された開口部３に、内部が収納部とされる矩形枠４を嵌め込んでなる収納付き壁１において、
前記矩形枠４を構成する枠材７は、横断面矩形状の枠材本体８と、この枠材本体８の側端面８ｃから前記壁本体２の表面より外側に、前記矩形枠４の内周面を構成する前記枠材本体８の側面８ｄとほぼ面一となるように延出するとともに前記枠材本体８の長手方向に延在するフランジ部９とを備え、
前記壁本体２の表面に面材１０が、前記枠材本体８の側端面８ｃにこれを覆うように当接し、かつ、前記フランジ部９に当接するようにして、取り付けられていることを特徴とする。
【０００７】
請求項１に記載の発明によれば、壁本体２に形成された開口部３に矩形枠４が嵌め込まれており、壁本体２の表面に取り付けられた面材１０が、前記矩形枠４を構成する枠材７の枠材本体８の側端面８ｃにこれを覆うように当接し、かつ、前記フランジ部９に当接しているので、この面材１０によって枠材本体８の側端面８ｃは露出せず、フランジ部９の先端部のみしか露出しないので、壁の表面側から見たときに開口部付近にスッキリとした印象を与えることができる。
また、矩形枠４を構成する枠材７の枠材本体８の側端面８ｃに、面材１０が当接されているので、この面材１０によって矩形枠４が壁本体２の開口部３から抜け出ないように押え込むことができる。
【０００８】
請求項２に記載の発明は、例えば図６〜図８に示すように、請求項１に記載の収納付き壁において、
前記壁本体２に形成された開口部３０の上方が開放されており、この開口部３０に嵌め込まれた矩形枠４１を構成する上の枠材１７が前記壁本体２の上方に位置する天井１９に当接しており、
前記フランジ部９と天井１９との間に、上挿入材４２が挿入されていることを特徴とする。
【０００９】
請求項２に記載の発明によれば、フランジ部９と天井１９との間に、上挿入材４２が挿入されているので、フランジ部９と天井１９との間の隙間を隠すことができる。
【００１０】
請求項３に記載の発明は、例えば、図６、図７、図９、図１０に示すように、請求項１または２に記載の収納付き壁において、
前記壁本体２に形成された開口部３０の下方が開放されており、この開口部３０に嵌め込まれた前記矩形枠４１を構成する下の枠材１７が前記壁本体２の下方に位置する床１６に当接しており、
前記フランジ部９と床１６との間に、下挿入材４３が挿入されていることを特徴とする特徴とする。
【００１１】
請求項３に記載の発明によれば、フランジ部９と床１６との間に、下挿入材４３が挿入されているので、フランジ部９と床１６との間の隙間を隠することができる。
【００１２】
請求項４に記載の発明は、例えば図１〜４に示すように、請求項１〜３のいずれか一項に記載の収納付き壁において、
前記矩形枠４内には、透光性を有しかつ前記壁本体２の裏面側に露出する透光性面材１５が設けられていることを特徴とする。
【００１３】
請求項４に記載の発明によれば、矩形枠４内に壁本体２の裏面側に露出する透光性面材１５が設けられているので、この透光性面材１５を通して壁本体２の裏側にある部屋等に採光できる。
【００１４】
請求項５に記載の発明は、例えば図５および図１に示すように、請求項１〜４のいずれか一項に記載の収納付き壁１を施工する収納付き壁の施工方法であって、
前記枠材７を矩形枠状に組み立てることによって前記矩形枠４を作製しておき、
前記壁本体２に形成された開口部３に前記矩形枠４を嵌め込むとともに、前記開口部３の内周面３ａに前記枠材本体８を当接して接着し、
次に、前記壁本体２の表面に面材１０を、前記枠材本体８の側端面８ｃにこれを覆うように当接し、かつ、前記フランジ部９に当接するようにして、取り付けることを特徴とする。
【００１５】
請求項５に記載の発明によれば、壁本体２に形成された開口部３に矩形枠４を嵌め込むとともに、前記開口部３の内周面３ａに前記枠材本体８を当接して接着することによって、開口部３に矩形枠４を固定できる。
そして、壁本体２の表面に面材１０を、前記枠材本体８の側端面８ｃにこれを覆うように当接し、かつ、前記フランジ部９に当接するようにして、取り付けることによって、この面材１０によって矩形枠４が壁本体２の開口部３から抜け出ないように押え込むことができる。
【発明の効果】
【００１６】
本発明によれば、矩形枠を構成する枠材が、横断面矩形状の枠材本体と、この枠材本体の側端面から前記壁本体の表面より外側に、前記矩形枠の内周面を構成する前記枠材本体の側面とほぼ面一となるように延出するとともに前記枠材本体の長手方向に延在するフランジ部とを備え、前記壁本体の表面に面材が、前記枠材本体の側端面にこれを覆うように当接し、かつ、前記フランジ部に当接するようにして、取り付けられているので、この面材によって枠材本体の側端面は露出せず、フランジ部の先端部のみしか露出しないので、壁の表面側から見たときにスッキリとした印象を与えることができる。
また、矩形枠を構成する枠材の枠材本体の側端面に、面材が当接されているので、この面材によって矩形枠が壁本体の開口部から抜け出ないように押え込むことができる。
【図面の簡単な説明】
【００１７】
【図１】本発明に係る収納付き壁の一例を示すもので、その要部の平断面図である。
【図２】同、要部の縦断面図である。
【図３】同、正面図である。
【図４】同  縦断面図である。
【図５】本発明に係る収納付き壁の施工方法を説明するための工程図である。
【図６】本発明に係る収納付き壁の他の例を示すもので、その正面である。
【図７】同、縦断面図である。
【図８】同、収納付き壁の上端部を示す縦断面図である。
【図９】同、収納付き壁の下端部の要部を示す縦断面図である。
【図１０】同、収納付き壁の下端部の要部を示す斜視図である。
【発明を実施するための形態】
【００１８】
以下図面を参照して本発明の実施の形態について説明する。
図１は本発明に係る収納付き壁の一例を示す要部の平断面図、図２は同要部の縦断面図、図３は同正面図、図４は同縦断面図である。
これらの図に示すように、本実施の形態の収納付き壁１は、壁本体２と、この壁本体２に形成された開口部３に嵌め込まれた矩形枠４とを備えている。
【００１９】
壁本体２は複数の壁パネル５と、この壁パネル５の側端部に設けられた下地材６とを備えている。壁パネル５は、框材５ａを矩形枠状に組み立てるともに、この矩形枠内に必要に応じて補強桟材（図示略）を縦横に組み付け、さらに、矩形枠の両面に合板等からなる面材５ｂを貼付けてなるものである。
そして、複数の壁パネル５は、開口部３を形成するようにして接合され、さらに、開口部３に面する壁パネル５の端面（左右の側端面、上下の端面）に、角材で形成された開口構成部材６を固定することによって、壁本体２が構成されている。したがって、この壁本体２の開口部３の内周面３ａは開口構成部材６の表面によって構成されている。
【００２０】
前記矩形枠４は、内部が収納部とされるものであり、４つの枠材７を矩形枠状に組み立てることによって構成されている。４つの枠材７は横断面が同形状であり、かつ略ハット型の横断面形状となっている。
枠材７は、枠材本体８とフランジ部９とによって構成されている。枠材本体８は、横断面矩形状に形成されており、横断面矩形状の角材で形成された下地材８ａと、この下地材８ａに、その表面と両側端面を覆うようにして被された断面コ字型の表層部材８ｂとによって構成されている。そして、この枠材本体８の側面が開口部３の内周面３ａ（開口構成部材６の表面）に接着剤によって接着されている。
【００２１】
前記フランジ部９は、枠材本体８の側端面８ｃから前記壁本体２の表面より外側に、矩形枠４の内周面を構成する枠材本体８の側面８ｄとほぼ面一となるように延出するとともに、枠材本体８の長手方向（図１において紙面と直交する方向）に延在するものである。
フランジ部９と前記断面コ字型の表層部材８ｂとは、例えば木粉を混入した樹脂の押出成形によって一体的に形成されている。
なお、下地材８ａ、表層部材８ｂ、フランジ部９を樹脂等による一体成形で形成してもよい。
【００２２】
前記壁本体２の表面には、石膏ボード等の面材１０が貼り付けられている。この面材１０は、枠材本体８の側端面８ｃにこれを覆うようにして当接され、かつ、フランジ部９に当接されている。また、面材１０は枠材本体８の側端面８ｃに接着剤によって接着されている。
このように、枠材７は、その枠材本体８ａの側面８ｄと側端面８ｃとが接着剤によって開口部３の内周面３ａと面材１０の裏面とに固定されているので、ＸＹの２方向の固定となり固定強度が向上する。
【００２３】
前記矩形枠４の内部には、棚板１１が上下２段に取り付けられている。この棚板１１は、図１に示すように、調整材６に当接されている枠材本体８の側面からタッピングビス１２を、枠材本体８を貫通して棚板１１の側端面から該棚板１１にねじ込むことによって枠材本体８に取り付けられている。また、この棚板１１の入口側の上方には、棚板１１に載置された物品の落下防止用のパイプ１３が設けられており、このパイプ１３の両端部は対向する枠材本体８に形成された孔に挿入されている。
また、前記矩形枠４内には、透光性を有しかつ壁本体２の裏面側に露出する透光性面材１５が設けられている。この透光性面材１５は背板となるものであり、収納部の奥側に配置されている。左右の枠材本体８，８の対向する側面８ｄ，８ｄには、背板挿入溝が収納部の奥側において対向して形成されており、該背板挿入溝に透光性面材１５の左右側端部がそれぞれ挿入されている。また、棚板１１の上下面と、この上下面にそれぞれ対向する棚板１１の上下面および上下の枠材本体８の対向する側面８ｄとには、背板挿入溝が収納部の奥側において対向して形成されており、該背板挿入溝に透光性面材１５の上下端部がそれぞれ挿入されている。つまり、本実施の形態では、背板となる透光性面材１５が上下に３枚ほぼ面一にして矩形枠４内に設けられている。
【００２４】
上記のような構成の収納付き壁１は、図４に示すように、その下端部が床本体１６に設置され、この下端部に床本体１６に設けられたフローリング１７の端部が当接されている。また、収納付き壁１の下端部には巾木１８が取り付けられている。また、収納付き壁１の上端部は天井１９に固定されている。
【００２５】
次に、上記構成の収納付き壁１を施工する方法について、図５を参照して説明する。
まず、以下のようにして、枠材７・・・を矩形枠状に組み立てることによって矩形枠４を作製しておく。
すなわち、図５（ａ）に示すように、左右の枠材７，７の下端部間に下の枠材７を配置して、タッピングビス１２によって、下の枠材７の左右端部にそれぞれ左右の枠材７，７を固定するとともに、パイプ１３を下の枠材７の上方に配置したうえで、このパイプ１３の両端部を左右の枠材７，７に形成された孔に挿入する。
【００２６】
次に、図５（ｂ）に示すように、枠材７，７、棚板１１に形成されている背板挿入溝２１にコーキング材Ｋを充填する。
次に、図５（ｃ）に示すように、下段の背板となる透光性面材１５を背板挿入溝２１に挿入したうえで、下段の棚板１１をタッピングビス１２によって左右の枠材７，７に固定し、さらに、パイプ１３を下段の棚板１１の上方に配置したうえで、このパイプ１３の両端部を左右の枠材７，７に形成された孔に挿入する。
同様にして、中段の背板となる透光性面材１５を背板挿入溝２１に挿入したうえで、上段の棚板１１をタッピングビス１２によって左右の枠材７，７に固定し、さらに、パイプ１３を上段の棚板１１の上方に配置したうえで、このパイプ１３の両端部を左右の枠材７，７に形成された孔に挿入する。
【００２７】
次に、図５（ｄ）に示すように、上段の背板となる透光性面材１５を背板挿入溝２１に挿入したうえで、上の枠材７をタッピングビス１２によって左右の枠材７，７に固定する。その後、左右の枠材７，７の上下端部に位置するフランジ片９ａを切除することによって、矩形枠４を製作を終了する。
【００２８】
次に、図５（ｅ）に示すように、壁本体２に形成された開口部３に、矩形枠４を嵌め込むとともに、開口部３の内周面３ａに枠材本体８を当接して接着する。この場合、開口部３の内周面３ａに接着剤Ｓを塗布したうえで、開口部３に矩形枠４を嵌めこみ、枠材本体８を当接して接着する。
【００２９】
次に、図１および図２に示すように、前記壁本体２の表面に面材１０を、前記枠材本体８の側端面８ｃにこれを覆うように当接し、かつ、前記フランジ部９に当接するようにして、取り付ける。この場合、前記側端面８ｃに面材１０を当接するとともに、接着剤で接着する。以上で収納付き壁１の施工を終了する。
【００３０】
本実施の形態によれば、壁本体２に形成された開口部３に矩形枠４が嵌め込まれており、壁本体２の表面に取り付けられた面材１０が、前記矩形枠４を構成する枠材７の枠材本体８の側端面８ｃにこれを覆うように当接し、かつ、枠材７のフランジ部９に当接しているので、この面材１０によって枠材本体８の側端面８ｃは露出せず、フランジ部９の先端部のみしか露出しないので、壁の表面側から見たときに開口部付近にスッキリとした印象を与えることができる。
また、矩形枠４を構成する枠材７の枠材本体の側端面８ｃに、面材１０が当接されているので、この面材１０によって矩形枠４が壁本体の開口部３から抜け出ないように押え込むことができる。
【００３１】
さらに、矩形枠４内には、透光性を有しかつ壁本体２の裏面側に露出する透光性面材１５が設けられているので、この透光性面材１５を通して壁本体２の裏側にある部屋等に採光できる。
【００３２】
なお、本実施の形態の収納付き壁１では、壁本体２の高さ方向ほぼ中央部に形成された開口部３に、矩形枠４を嵌め込んだが、例えば、図６および図７に示すように、壁本体２の高さ方向ほぼ全域に亙って開口部３０を形成し、この開口部３０に、内部が収納部とされる矩形枠４１を嵌め込んでもよい。つまり、上方および下方が開放された開口部３０に矩形枠４１を嵌め込んでもよい。
なお、本例において、前記実施の形態と同様に構成部分には同一符号を付してその説明を省略する。
前記矩形枠４１は、第１の実施の形態の矩形枠４と同様に構成されている。つまり、前記枠材７と断面構成が等しいが、長さの長い枠材７を使用して矩形枠４１が構成されており、この矩形枠４１が開口部３０に嵌め込まれている。矩形枠４１はその高さが壁本体２と等しくなっており、その上端面および下端面は、壁本体２の上端面および下端面と面一となっている。
【００３３】
したがって、矩形枠４１の上の枠材７が壁本体２の上方に位置する天井１９に当接するので、図８に示すように、矩形枠４１のフランジ部９と天井１９との間に、上挿入材４２が挿入されている。このようにすれば、フランジ部９と天井１９との間の隙間を上挿入部材４２によって隠することができる。
【００３４】
また、本例の場合、矩形枠４１の下の枠材７が壁本体２の下方に位置する床（床本体）１６に当接するので、図９および図１０に示すように、フランジ部９と床１６との間に、下挿入材４３が挿入されている。このようにすれば、フランジ部９と床１６との間の隙間を下挿入部材４３によって隠することができる。
また、下挿入部材４３の下部には、フローリング１７の端部が挿入されており、これによってフローリング１７の端部の見切りを行える。
【符号の説明】
【００３５】
１  収納付き壁
２  壁本体
３，３０  開口部
３ａ  内周面
４，４１  矩形枠
７  枠材
８  枠材本体
８ｃ  側端面
８ｄ  側面
９  フランジ部
１０  面材
１５  透光性面材
１６  床
１９  天井
４２  上挿入部材
４３  下挿入部材
【図１】
2010222908.tif 000003
【図２】
2010222908.tif 000004
【図３】
2010222908.tif 000005
【図４】
2010222908.tif 000006
【図５】
2010222908.tif 000007
【図６】
2010222908.tif 000008
【図７】
2010222908.tif 000009
【図８】
2010222908.tif 000010
【図９】
2010222908.tif 000011
【図１０】
2010222908.tif 000012